(57)【要約】本発明は、ブロードキャスト／マルチキャスト（ＢＣＡＳＴ）サービスを提供する方法及びシステムを提供する。前記方法は、前記端末が訪問ネットワークにおいてローミングする場合、前記端末により前記訪問ネットワークから少なくとも１つのＢＣＡＳＴサービスを取得する段階を含む。本発明は、端末が訪問ネットワークにおいてローミングする場合、前記端末が前記訪問ネットワークから少なくとも１つのブロードキャスト／マルチキャスト（ＢＣＡＳＴ）サービスを取得する段階を含むことを特徴とするブロードキャスト／マルチキャスト（ＢＣＡＳＴ）サービスを端末に提供する方法を提供する。
2008508831.tif 000002
【特許請求の範囲】
【請求項１】
端末が訪問ネットワークにおいてローミングする場合、前記端末が前記訪問ネットワークから少なくとも１つのブロードキャスト／マルチキャスト（ＢＣＡＳＴ）サービスを取得する段階を含むことを特徴とするブロードキャスト／マルチキャスト（ＢＣＡＳＴ）サービスを端末に提供する方法。
【請求項２】
前記取得段階は、
前記端末が前記訪問ネットワークから少なくとも１つのＢＣＡＳＴサービスのコンテンツを直接受信する段階を含むことを特徴とする請求項１に記載のブロードキャスト／マルチキャスト（ＢＣＡＳＴ）サービスを端末に提供する方法。
【請求項３】
前記取得段階は、
前記端末が前記訪問ネットワークからＢＣＡＳＴサービスガイドを受信する段階を含むことを特徴とする請求項１に記載のブロードキャスト／マルチキャスト（ＢＣＡＳＴ）サービスを端末に提供する方法。
【請求項４】
前記受信段階において、前記訪問ネットワークは、前記訪問ネットワークにローミングした前記端末に訪問ネットワーク自身のＢＣＡＳＴサービスをユーザの要求なしに提供することを特徴とする請求項３に記載のブロードキャスト／マルチキャスト（ＢＣＡＳＴ）サービスを端末に提供する方法。
【請求項５】
前記取得段階は、
前記端末が、前記ＢＣＡＳＴサービスガイドを利用して前記ユーザが選択した少なくとも１つのＢＣＡＳＴサービスにアクセスするための要求を前記訪問ネットワークに伝送する段階をさらに含むことを特徴とする請求項３に記載のブロードキャスト／マルチキャスト（ＢＣＡＳＴ）サービスを端末に提供する方法。
【請求項６】
前記取得段階は、
前記訪問ネットワークが前記端末の前記ホームネットワークにサービス認証要求を伝送する段階と、
前記サービス認証要求に応答して前記訪問ネットワークがサービス認証応答を受信する段階とをさらに含むことを特徴とする請求項５に記載のブロードキャスト／マルチキャスト（ＢＣＡＳＴ）サービスを端末に提供する方法。
【請求項７】
前記ホームネットワークと前記訪問ネットワークは異なるブロードキャストネットワークであることを特徴とする請求項６に記載のブロードキャスト／マルチキャスト（ＢＣＡＳＴ）サービスを端末に提供する方法。
【請求項８】
前記ホームネットワークと前記訪問ネットワークは同一タイプのブロードキャストネットワークであることを特徴とする請求項６に記載のブロードキャスト／マルチキャスト（ＢＣＡＳＴ）サービスを端末に提供する方法。
【請求項９】
前記取得段階は、
前記端末が前記訪問ネットワークからアクセス情報を受信する段階と、
要求された少なくとも１つのＢＣＡＳＴサービスのコンテンツを前記訪問ネットワークから受信する段階と、
前記受信された少なくとも１つのＢＣＡＳＴサービスのコンテンツに前記アクセス情報を利用してアクセスする段階とをさらに含むことを特徴とする請求項６に記載のブロードキャスト／マルチキャスト（ＢＣＡＳＴ）サービスを端末に提供する方法。
【請求項１０】
前記アクセス情報は、特定ＢＣＡＳＴサービスにアクセスするための使用権利（ＲＯ）であることを特徴とする請求項９に記載のブロードキャスト／マルチキャスト（ＢＣＡＳＴ）サービスを端末に提供する方法。
【請求項１１】
前記受信された少なくとも１つのＢＣＡＳＴサービスのコンテンツに関する課金情報を前記訪問ネットワークが生成する段階をさらに含むことを特徴とする請求項９に記載のブロードキャスト／マルチキャスト（ＢＣＡＳＴ）サービスを端末に提供する方法。
【請求項１２】
前記取得段階は、
前記訪問ネットワークで前記端末のホームネットワークの少なくとも１つのＢＣＡＳＴサービスのコンテンツを前記ホームネットワークから前記端末に伝送する段階を含むことを特徴とする請求項１に記載のブロードキャスト／マルチキャスト（ＢＣＡＳＴ）サービスを端末に提供する方法。
【請求項１３】
前記取得段階は、
前記端末がＢＣＡＳＴサービス要求を前記訪問ネットワークに伝送する段階と、
前記ＢＣＡＳＴサービス要求に応答して前記端末がサービス認証要求を前記端末のホームネットワークに伝送する段階と、
前記サービス認証要求に応答して前記訪問ネットワークがサービス認証応答を受信する段階とを含むことを特徴とする請求項１に記載のブロードキャスト／マルチキャスト（ＢＣＡＳＴ）サービスを端末に提供する方法。
【請求項１４】
前記取得段階は、
前記訪問ネットワークが前記端末のホームネットワークの少なくとも１つのＢＣＡＳＴサービスガイドを前記端末に伝送する段階をさらに含むことを特徴とする請求項１３に記載のブロードキャスト／マルチキャスト（ＢＣＡＳＴ）サービスを端末に提供する方法。
【請求項１５】
前記取得段階は、
前記少なくとも１つのＢＣＡＳＴサービスガイドを前記端末に伝送する段階に先行して、前記訪問ネットワークがＢＣＡＳＴサービスガイド要求を前記ホームネットワークに伝送する段階と、
前記ＢＣＡＳＴサービスガイド要求に応答して、前記ホームネットワークの前記要求されたＢＣＡＳＴサービスガイドを前記訪問ネットワークが受信する段階とをさらに含むことを特徴とする請求項１４に記載のブロードキャスト／マルチキャスト（ＢＣＡＳＴ）サービスを端末に提供する方法。
【請求項１６】
少なくとも１つのＢＣＡＳＴサービスガイドを伝送する段階において、
前記訪問ネットワークのＢＣＡＳＴサービスガイドが前記ホームネットワークの前記ＢＣＡＳＴサービスガイドと共に伝送されることを特徴とする請求項１４に記載のブロードキャスト／マルチキャスト（ＢＣＡＳＴ）サービスを端末に提供する方法。
【請求項１７】
前記ホームネットワークは、前記端末の少なくとも１つの要求リストに基づく前記ＢＣＡＳＴサービスガイドを生成し、前記訪問ネットワークから前記端末に前記ＢＣＡＳＴサービスガイドを伝送する段階のために前記生成されたＢＣＡＳＴサービスガイドを前記訪問ネットワークに伝送することを特徴とする請求項１４に記載のブロードキャスト／マルチキャスト（ＢＣＡＳＴ）サービスを端末に提供する方法。
【請求項１８】
前記端末の前記要求リストは、前記ホームネットワークにより提供されたＢＣＡＳＴサービスのリストのうち前記端末のユーザが好むＢＣＡＳＴサービスのリストを含むことを特徴とする請求項１７に記載のブロードキャスト／マルチキャスト（ＢＣＡＳＴ）サービスを端末に提供する方法。
【請求項１９】
前記取得段階は、
前記ＢＣＡＳＴサービスガイドを利用して選択された少なくとも１つのＢＣＡＳＴサービスのコンテンツに対する要求を前記訪問ネットワークで前記端末から前記ホームネットワークに伝送する段階をさらに含むことを特徴とする請求項１４に記載のブロードキャスト／マルチキャスト（ＢＣＡＳＴ）サービスを端末に提供する方法。
【請求項２０】
前記取得段階は、
前記少なくとも１つのＢＣＡＳＴサービスのコンテンツを前記訪問ネットワークで前記ホームネットワークから前記端末に伝送する段階をさらに含むことを特徴とする請求項１９に記載のブロードキャスト／マルチキャスト（ＢＣＡＳＴ）サービスを端末に提供する方法。
【請求項２１】
前記ホームネットワークはブロードキャストネットワークであり、前記訪問ネットワークはブロードキャストをサポートしないネットワークであることを特徴とする請求項２０に記載のブロードキャスト／マルチキャスト（ＢＣＡＳＴ）サービスを端末に提供する方法。
【請求項２２】
前記ホームネットワークの前記ＢＣＡＳＴサービスガイドは、前記訪問ネットワークに予め保存されることを特徴とする請求項１４に記載のブロードキャスト／マルチキャスト（ＢＣＡＳＴ）サービスを端末に提供する方法。
【請求項２３】
端末が訪問ネットワークからＢＣＡＳＴサービスガイド情報を受信する段階と、
前記端末が前記ＢＣＡＳＴサービスガイド情報で提供される少なくとも１つのＢＣＡＳＴサービスにアクセスするための要求を伝送する段階と、
前記訪問ネットワークから少なくともＢＣＡＳＴサービスを取得する段階と
から構成されることを特徴とする端末がホームネットワークから訪問ネットワークに移動するときブロードキャスト／マルチキャスト（ＢＣＡＳＴ）サービスを取得する方法。
【請求項２４】
前記取得段階は、
サービス認証要求を前記訪問ネットワークから前記ホームネットワークに伝送する段階と、
前記サービス認証要求に応答して前記訪問ネットワークがサービス認証応答を受信する段階とをさらに含むことを特徴とする請求項２３に記載の端末がホームネットワークから訪問ネットワークに移動するときブロードキャスト／マルチキャスト（ＢＣＡＳＴ）サービスを取得する方法。
【請求項２５】
前記ホームネットワークと前記訪問ネットワークは、異なるブロードキャストネットワークであることを特徴とする請求項２３に記載の端末がホームネットワークから訪問ネットワークに移動するときブロードキャスト／マルチキャスト（ＢＣＡＳＴ）サービスを取得する方法。
【請求項２６】
前記ホームネットワークと前記訪問ネットワークは、同一のブロードキャストネットワークであることを特徴とする請求項２３に記載の端末がホームネットワークから訪問ネットワークに移動するときブロードキャスト／マルチキャスト（ＢＣＡＳＴ）サービスを取得する方法。
【請求項２７】
前記取得方法は、
前記端末が少なくとも１つのＢＣＡＳＴサービスにアクセスするための少なくとも１つの使用権利を前記訪問ネットワークから受信する段階と、
前記端末が前記要求された少なくとも１つのＢＣＡＳＴサービスのコンテンツを前記訪問ネットワークから受信する段階とをさらに含むことを特徴とする請求項２３に記載の端末がホームネットワークから訪問ネットワークに移動するときブロードキャスト／マルチキャスト（ＢＣＡＳＴ）サービスを取得する方法。
【請求項２８】
前記取得方法は、
前記少なくとも１つの使用権利を利用して前記受信された少なくとも１つのＢＣＡＳＴサービスのコンテンツにアクセスする段階をさらに含むことを特徴とする請求項２７に記載の端末がホームネットワークから訪問ネットワークに移動するときブロードキャスト／マルチキャスト（ＢＣＡＳＴ）サービスを取得する方法。
【請求項２９】
前記受信された少なくとも１つのＢＣＡＳＴサービスのコンテンツに関する課金情報を前記訪問ネットワークが生成する段階をさらに含むことを特徴とする請求項２８に記載の端末がホームネットワークから訪問ネットワークに移動するときブロードキャスト／マルチキャスト（ＢＣＡＳＴ）サービスを取得する方法。
【請求項３０】
訪問ネットワークからＢＣＡＳＴサービスガイド情報を受信して前記ＢＣＡＳＴサービスガイド情報で提供された少なくとも１つのＢＣＡＳＴサービスにアクセスするための要求を前記訪問ネットワークに伝送し、前記訪問ネットワークから少なくとも１つのＢＣＡＳＴサービスを取得するための制御器を含むことを特徴とする訪問ネットワークでローミング中にブロードキャスト／マルチキャスト（ＢＣＡＳＴ）サービスを取得するための移動端末装置。
【請求項３１】
前記ＢＣＡＳＴサービスガイド情報を利用してユーザにより選択された少なくとも１つのＢＣＡＳＴサービスを受信し、前記制御器と前記少なくとも１つのＢＣＡＳＴサービスを通信する入力部をさらに含み、
ここで、前記制御器は、前記少なくとも１つのＢＣＡＳＴサービスにアクセスするための要求を生成し、前記少なくとも１つのＢＣＡＳＴサービスにアクセスするための要求を前記訪問ネットワークに伝送することを特徴とする請求項３０に記載の訪問ネットワークでローミング中にブロードキャスト／マルチキャスト（ＢＣＡＳＴ）サービスを取得するための移動端末装置。
【請求項３２】
前記制御器は、前記訪問ネットワークから少なくとも１つのＢＣＡＳＴサービスにアクセスするための少なくとも１つの使用権利を受信することを特徴とする請求項３１に記載の訪問ネットワークでローミング中にブロードキャスト／マルチキャスト（ＢＣＡＳＴ）サービスを取得するための移動端末装置。
【請求項３３】
前記制御器は、前記訪問ネットワークから少なくとも１つのＢＣＡＳＴサービスのコンテンツを受信し、少なくとも１つの前記使用権利を利用して前記受信されたコンテンツにアクセスすることを特徴とする請求項３２に記載の訪問ネットワークでローミング中にブロードキャスト／マルチキャスト（ＢＣＡＳＴ）サービスを取得するための移動端末装置。
【請求項３４】
前記装置のホームネットワークと訪問ネットワークは、異なるタイプのブロードキャストネットワークであることを特徴とする請求項３０に記載の訪問ネットワークでローミング中にブロードキャスト／マルチキャスト（ＢＣＡＳＴ）サービスを取得するための移動端末装置。
【請求項３５】
前記装置のホームネットワークと訪問ネットワークは、同一タイプのブロードキャストネットワークであることを特徴とする請求項３０に記載の訪問ネットワークでローミング中にブロードキャスト／マルチキャスト（ＢＣＡＳＴ）サービスを取得するための移動端末装置。
【請求項３６】
端末と、
前記端末と通信するように構成された前記端末のホームネットワークと、
前記ホームネットワーク及び前記端末と通信するように構成された訪問ネットワークとを含み、
ここで、前記端末が前記訪問ネットワークでローミングする場合、前記端末は、前記訪問ネットワークから少なくとも１つのＢＣＡＳＴサービスを取得することを特徴とするブロードキャスト／マルチキャスト（ＢＣＡＳＴ）システム。
【請求項３７】
前記訪問ネットワークは、
前記端末に前記訪問ネットワークのサービスガイドをブロードキャスティングするＢＣＡＳＴサービス分配／適用（ＢＳＤＡ）部を含むことを特徴とする請求項３６に記載のブロードキャスト／マルチキャスト（ＢＣＡＳＴ）システム。
【請求項３８】
前記訪問ネットワークは、
前記端末から少なくとも１つのＢＣＡＳＴサービスにアクセスするための要求を受信し、前記ホームネットワークで前記要求に対するサービス認証を取得し、前記要求された少なくとも１つのＢＣＡＳＴサービスにアクセスするための少なくとも１つの使用権利を前記端末に伝達するＢＣＡＳＴ加入管理（ＢＳＭ）部をさらに含むことを特徴とする請求項３７に記載のブロードキャスト／マルチキャスト（ＢＣＡＳＴ）システム。
【請求項３９】
前記ＢＳＤＡ部は、前記要求された少なくとも１つのＢＣＡＳＴサービスのコンテンツを前記端末に伝達することを特徴とする請求項３８に記載のブロードキャスト／マルチキャスト（ＢＣＡＳＴ）システム。
【請求項４０】
前記ＢＳＭ部は、前記要求された少なくとも１つのＢＣＡＳＴサービスの前記伝達されたコンテンツの使用に関する課金情報を生成することを特徴とする請求項３９に記載のブロードキャスト／マルチキャスト（ＢＣＡＳＴ）システム。
【請求項４１】
訪問ネットワークのＢＳＤＡ部が端末にサービスガイドを提供する段階と、
前記端末が少なくとも１つのＢＣＡＳＴサービスにアクセスするための要求を前記訪問ネットワークのＢＳＭ部に伝送する段階と、
前記訪問ネットワークのＢＳＭ部が前記端末のホームネットワークのＢＳＭ部にサービス認証要求を伝送する段階と、
前記サービス認証要求に応答して、前記訪問ネットワークのＢＳＭ部が前記ホームネットワークのＢＳＭ部からサービス認証応答を受信する段階と、
前記訪問ネットワークのＢＳＭ部が少なくとも１つのＢＣＡＳＴサービスにアクセスするための少なくとも１つの使用権利を前記端末に伝送する段階と、
前記訪問ネットワークのＢＳＤＡ部が前記少なくとも１つのＢＣＡＳＴサービスを前記端末に提供する段階と
から構成されることを特徴とする端末が訪問ネットワークにローミングするときにブロードキャスト／マルチキャスト（ＢＣＡＳＴ）サービスを提供する方法。
【請求項４２】
前記訪問ネットワークのＢＳＭ部が、前記提供された少なくとも１つのＢＣＡＳＴサービスに関する課金情報を生成する段階をさらに含むことを特徴とする請求項４１に記載の端末が訪問ネットワークにローミングするときにブロードキャスト／マルチキャスト（ＢＣＡＳＴ）サービスを提供する方法。
【請求項４３】
前記サービスガイドは、前記端末からの要求なしに前記訪問ネットワーク内で前記端末に提供されることを特徴とする請求項４１に記載の端末が訪問ネットワークにローミングするときにブロードキャスト／マルチキャスト（ＢＣＡＳＴ）サービスを提供する方法。
【請求項４４】
前記端末は、少なくとも１つの使用権利を利用して少なくとも１つのＢＣＡＳＴサービスを解読することを特徴とする請求項４１に記載の端末が訪問ネットワークにローミングするときにブロードキャスト／マルチキャスト（ＢＣＡＳＴ）サービスを提供する方法。
【発明の詳細な説明】
【技術分野】
【０００１】
本発明は、移動通信システムに関し、特に、ユーザがブロードキャストネットワーク、又はブロードキャストをサポートしないネットワークである訪問ネットワークにローミングする場合、ユーザにブロードキャスト／マルチキャストサービスを提供するためのネットワーク間のローミングを提供するブロードキャスト／マルチキャストサービスシステム及び方法に関する。
【背景技術】
【０００２】
ブロードキャスト／マルチキャストサービス（broadcast/multicast  service：以下、ＢＣＡＳＴサービスともいう）は、空中波放送や付加情報を移動端末に提供する新しいタイプのサービスであり、ブロードキャストサービスとマルチキャストサービスの両方を含む。ブロードキャストサービスは、事業者が事業者自身のサービスに加入している全てのユーザに有用な情報を伝送し、マルチキャストサービスは、特定主題又はコンテンツに予め加入した所定グループのユーザにのみ情報を伝送する。
【０００３】
現在、移動通信ネットワークで簡単な情報をユーザに提供する単純な形態のサービスは提供されているが、マルチメディアタイプのブロードキャストや多様なコンテンツを移動通信ネットワークでローミング中のユーザに提供するＢＣＡＳＴサービスはまだ提供されていない。
【０００４】
また、前記ＢＣＡＳＴサービスが各ＢＣＡＳＴサービス事業者毎に独立して運用されている状況で、特定サービス事業者に加入しているユーザが他のサービス事業者領域に移動する場合、前記ユーザには、前記ＢＣＡＳＴサービスの連続性が提供されない。
【０００５】
また、ユーザのホームネットワークの特定ＢＣＡＳＴサービスに加入しているユーザが訪問ネットワークにローミングする場合、ホームネットワークのＢＣＡＳＴサービスコンテンツを前記訪問ネットワークにおいてローミング中のユーザに提供するための手順、システム、又はメカニズムが存在しない。前記訪問ネットワークがブロードキャストをサポートしないネットワーク（non-broadcast  type  network）であるか、又は前記ホームネットワークと同種もしくは異種のブロードキャストネットワークである場合、訪問ネットワークにおいてローミング中のユーザがホームネットワークのＢＣＡＳＴサービス又は訪問ネットワークのＢＣＡＳＴサービスを取得できる手順が定義されていないため、ユーザは非常に不便である。
【発明の開示】
【発明が解決しようとする課題】
【０００６】
従って、本発明の目的は、ユーザが同一のサービスネットワーク又は異なるサービスネットワークにおいてローミングする場合も、ブロードキャスト／マルチキャスト（ＢＣＡＳＴ）サービスの連続性を保証できるようにネットワーク間のローミングをサポートするブロードキャスト／マルチキャストサービスシステム及び方法を提供することにある。
【０００７】
本発明の他の目的は、ホームネットワークから訪問ネットワークにローミングしたユーザが訪問ネットワークにおいてサポートされるサービスを利用することにより、ブロードキャスト／マルチキャストサービスを受信できるようにネットワーク間のローミングをサポートするブロードキャスト／マルチキャストサービスシステム及び方法を提供することにある。
【０００８】
また、本発明のさらに他の目的は、端末がブロードキャストネットワーク間をローミングする場合、ホームネットワークにおいて提供されるサービスを利用できるようにするブロードキャスト／マルチキャストサービスシステム及び方法を提供することにある。
【０００９】
また、本発明のさらに他の目的は、従来技術における限界と欠点を克服して訪問ネットワークにおいてローミング中のユーザ／端末にＢＣＡＳＴサービスを提供するように本発明を実行するための少なくとも１つのコンピュータ可読媒体に実現された移動端末、システム、方法、及びコンピュータソフトウェアを提供することにある。
【課題を解決するための手段】
【００１０】
本発明の一態様による、ブロードキャスト／マルチキャスト（ＢＣＡＳＴ）サービスを端末に提供する方法は、端末が訪問ネットワークにおいてローミングする場合、前記端末が前記訪問ネットワークから少なくとも１つのサービスを取得する方法から構成されることを特徴とする。
【００１１】
本発明の一態様による、端末がホームネットワークから移動する場合にＢＣＡＳＴサービスを取得する方法は、前記端末が訪問ネットワークからＢＣＡＳＴサービスガイド情報を受信する段階と、前記ＢＣＡＳＴサービスガイド情報で提供される少なくとも１つのＢＣＡＳＴサービスにアクセスするための要求を前記端末が伝送する段階と、前記訪問ネットワークから少なくとも１つのＢＣＡＳＴサービスを取得する段階とから構成されることを特徴とする。
【００１２】
本発明の一態様による、訪問ネットワークにおいてローミング中にＢＣＡＳＴサービスを取得するために提供される移動端末装置は、前記訪問ネットワークからＢＣＡＳＴサービスガイド情報を受信し、前記ＢＣＡＳＴサービスガイド情報で提供される少なくとも１つのＢＣＡＳＴサービスにアクセスするための要求を前記訪問ネットワークに伝送し、前記訪問ネットワークから少なくとも１つのＢＣＡＳＴサービスを取得する制御器から構成されることを特徴とする。
【００１３】
本発明の一態様によるＢＣＡＳＴシステムは、端末と、前記端末と通信するように構成された前記端末のホームネットワークと、前記ホームネットワーク及び前記端末と通信するように構成された訪問ネットワークとから構成され、ここで、前記端末が前記訪問ネットワークにおいてローミングする場合、前記端末は、前記訪問ネットワークから少なくとも１つのＢＣＡＳＴサービスを取得することを特徴とする。
【００１４】
本発明の一態様による、端末が訪問ネットワークにローミングするときにＢＣＡＳＴサービスを提供する方法は、前記訪問ネットワークのＢＣＡＳＴサービス分配／適用（BCAST  service  distribution/adaptation：ＢＳＤＡ）部が前記端末にサービスガイドを提供する段階と、前記端末が少なくとも１つのＢＣＡＳＴサービスを前記訪問ネットワークのＢＣＡＳＴ加入管理（BCAST  subscription  management：ＢＳＭ）部にアクセスするための要求を伝送する段階と、前記訪問ネットワークのＢＳＭ部が前記端末のホームネットワークのＢＳＭ部にサービス認証要求を伝送する段階と、前記サービス認証要求に応答して、前記訪問ネットワークのＢＳＭ部が前記ホームネットワークのＢＳＭ部からサービス認証応答を受信する段階と、前記訪問ネットワークのＢＳＭ部が少なくとも１つのＢＣＡＳＴサービスにアクセスするための少なくとも１つの使用権利を前記端末に伝送する段階と、前記訪問ネットワークのＢＳＤＡ部が少なくとも１つのＢＣＡＳＴサービスを前記端末に提供する段階とから構成されることを特徴とする。
【００１５】
本発明のさらなる長所及び利点は後述する発明の詳細な説明に一部が記述されており、一部は前記説明により明確になるか、又は、本発明の適用により理解されるであろう。本発明の目的と長所は、特に、請求の範囲に開示されたように実現及び達成される。
【発明の効果】
【００１６】
本発明の実施形態によるネットワーク間のローミングをサポートするブロードキャスト／マルチキャストサービスシステム及び方法には、多くの利点がある。
【００１７】
例えば、端末が訪問ネットワーク内にローミングした後、前記端末は、ホームネットワークにおいて受信されたＢＣＡＳＴサービスと同一のＢＣＡＳＴサービスを前記訪問ネットワークの現在位置で受信できる。
【００１８】
また、前記ユーザは、ユーザ自身が好むＢＣＡＳＴサービスを設定し、その位置（例えば、前記ユーザが現在ホームネットワークに位置するか、訪問ネットワークに位置するか）に関係なく連続して受信できるので、ユーザの利便性及び前記ＢＣＡＳＴサービス受信の満足度が大きく向上する。
【発明を実施するための最良の形態】
【００１９】
以下、添付図面を参照して本発明の好ましい実施形態によるネットワーク間のローミングをサポートするブロードキャスト／マルチキャスト（ＢＣＡＳＴ）サービスシステム及び方法を詳細に説明する。
【００２０】
本発明において、端末のホームネットワークにより提供されたＢＣＡＳＴサービスに加入しているユーザ（移動端末を備えたユーザ）がホームネットワークから訪問ネットワークにローミングする場合、前記ユーザは、前記ホームネットワークにおいて提供されたものと同一のＢＣＡＳＴサービスを前記訪問ネットワークにおいて受信できる。ここで、前記訪問ネットワークは、前記ホームネットワークのサービスガイドを前記訪問ネットワークにいるユーザに伝送するか、又は前記ホームネットワークのサービスガイドと前記訪問ネットワークのサービスガイドを併合して前記訪問ネットワークの前記ユーザに伝送する。
【００２１】
本発明において、特定ＢＣＡＳＴサービスに加入しているユーザがユーザ自身のホームネットワークから訪問ネットワークにローミングする場合、前記訪問ネットワークは、前記ホームネットワークから前記ユーザのサービス認証を確認し、前記訪問ネットワークにおいてＢＣＡＳＴサービスのコンテンツを見るために使用される公開キー（使用権利）を前記ユーザの端末に提供する。
【００２２】
本発明において、特定ＢＣＡＳＴサービスに加入しているユーザがブロードキャストネットワークから他の同一のブロードキャストネットワーク、異なるブロードキャストネットワーク、又はブロードキャストをサポートしないネットワークにローミングする場合も、前記ユーザは、前記ローミングされたネットワークにおいて前記ＢＣＡＳＴサービスを受信できる。
【００２３】
図１は、本発明の一実施形態によるＢＣＡＳＴサービスシステムの構成を示すブロック図である。前記ＢＣＡＳＴサービスシステムの全ての構成要素は、能動的に（operatively）結合されている。
【００２４】
図１に示すように、前記ＢＣＡＳＴサービスシステムは、前記ＢＣＡＳＴサービスにおいて分配するためのコンテンツを提供するコンテンツ提供者（コンテンツ生成）１０と、ユーザにＢＣＡＳＴサービスを提供するか、コンテンツを保護するか、又は前記ＢＣＡＳＴサービスを提供するための維持／管理を行うブロードキャスト／マルチキャスト（ＢＣＡＳＴ）サーバ１７と、前記ＢＣＡＳＴサーバ１７からユーザにより選択されたＢＣＡＳＴサービスを受信する端末３０とを含む。前記端末３０は、携帯電話、ＰＤＡなどの移動端末であり、入力部（例えば、キーパッド、ボタンなど）、制御器、及びメモリなどを含む公知の構成要素を含む。
【００２５】
前記ＢＣＡＳＴサービスシステムは、前記ＢＣＡＳＴサービスを分配し、双方向通信のための相互作用機能を行うブロードキャスト分配システム（broadcast  distribution  system：ＢＤＳ）２０もしくは相互作用ネットワーク（interaction  network：ＩＮ）２２、及び／又はベアラによって前記相互作用ネットワークを適用するＢＤＳサービス分配（BDS  service  distribution：ＢＤＳ−ＳＤ）部１８をさらに含む。ここで、前記ＢＤＳサービス分配部１８、ブロードキャスト分配システム２０、及び相互作用ネットワーク部２２は、前記端末３０、又はホームネットワークもしくは訪問ネットワークのような適切な装置に前記サーバ１７により提供された前記ＢＣＡＳＴサービスコンテンツを分配することに関連する。
【００２６】
前記ＢＤＳ２０又は相互作用ネットワーク２２は、ＤＶＢ−Ｈ（Digital  Video  Broadcasting-Handled）、ＭＢＭＳ（Multimedia  Broadcast  Multicast  Service）、ＢＣＭＣＳ（Broadcast  Multicast  Service）、ＩＳＤＢ−Ｔ（Integrated  Service  Digital  Broadcasting-Terrestrial）、又はＴ／Ｓ  ＤＭＢ（Terrestrial/Satellite-Digital  Multimedia  Broadcasting）などのＢＣＡＳＴサービスを提供するベアラである。従って、前記ＢＤＳ２０及び前記相互作用ネットワーク２２は、ブロードキャストメカニズムをサポートする。
【００２７】
前記ＢＣＡＳＴサーバ１７は、前記ＢＣＡＳＴサービスコンテンツ保護及び／又は前記ＢＣＡＳＴサービスの維持／管理機能を行うＢＣＡＳＴサービスアプリケーション（BCAST  service  application：ＢＳＡ）部１２と、特定ベアラ（ＤＶＢ−Ｈ、ＭＢＭＳ、ＢＣＭＣＳなど）を利用してブロードキャスト、インタフェース、及びコンテンツスケジューリング機能を実行及び制御するＢＣＡＳＴサービス分配／適用（BCAST  service  distribution/adaptation：ＢＳＤＡ）部１４と、前記ＢＣＡＳＴサービスに加入しているユーザを管理するためにサービス／コンテンツ保護管理及びユーザ加入情報維持管理機能などを行うＢＣＡＳＴ加入／管理（BCAST  subscription/management：ＢＳＭ）部１６とを含む。ここで、前記ＢＣＡＳＴサーバ１７の前記ＢＳＡ部１２、ＢＣＡＳＴサービス分配／適用部１４、及びＢＣＡＳＴ加入／管理部１６は、内部通信で互いに情報及び信号を伝送又は交換する。前記ＢＳＤＡ部１４及び前記ＢＳＭ部１６からの通信は、最終目的地装置（例えば、端末３０）に直接、又はＢＤＳ−ＳＤ１８、ＢＤＳ２０、もしくは相互作用ネットワーク２２の少なくとも１つを介して行われる。
【００２８】
前記端末３０は、前記ＢＣＡＳＴサービスを受信するアプリケーション／ソフトウェアと、ＢＣＡＳＴサービス事業者が提供するＢＣＡＳＴサービスリストの一部を保存及び編集してユーザが好むチャネルに関する情報を保存するアプリケーションとを含む。前記事業者が提供するＢＣＡＳＴサービスリストに基づいてユーザの選好情報（reference）を反映してユーザが編集及び生成したＢＣＡＳＴサービス選好情報リストを要求リスト（wish  list）という。前記端末３０及び前記端末３０に関するネットワーク（例えば、ホームネットワーク）は、要求リスト管理アプリケーションと呼ばれる前記要求リストを管理するアプリケーションを含む。前記端末３０は、携帯電話、ＰＤＡなどであるが、これに限定されるものではなく、前記ＢＣＡＳＴサービスを受信するために構成されたいずれの装置も可能である。
【００２９】
前記要求リスト管理アプリケーションは、要求リストを別途に管理し、特定事業者のサービスに加入している端末のユーザが他の事業者のサービスエリアにローミングして該当事業者が提供する他のＢＣＡＳＴサービスリストを受信する場合、前記リストの一部を保存及び編集する。また、前記ユーザがローミングした訪問ネットワークのサービス事業者が前記端末のホームネットワークにおいて提供されるＢＣＡＳＴに関するサービスリストを提供しない場合、前記要求リスト管理アプリケーションは、前記ホームネットワークから予めサービスリストを受信して保存するか、提供されたサービスリストのうちユーザにより選択されたサービスを予め要求リストに保存する。
【００３０】
特定サービスを提供するサービス事業者は、事業者自身のネットワークにおいて提供されるサービスリストだけでなく、ローミング契約が締結された他のサービス事業者のネットワークにおいて提供されるサービスリストもユーザに伝達できる。ここで、前記サービス事業者は、事業者自身でない他の事業者により提供されるサービスであることを明示しなければならない。すなわち、前記ＢＣＡＳＴサーバは、前記ユーザの端末の要求リストを取り出して前記要求リスト上のサービスを現在前記ＢＣＡＳＴサーバが提供できるか否かを確認し、前記要求リスト上のサービスを前記ＢＣＡＳＴサーバが提供できない場合、他の事業者又は他のサーバにより提供できるか否かを確認する要求リスト確認アプリケーションを含む。
【００３１】
前記要求リスト確認アプリケーションは、全てのＢＣＡＳＴサーバに存在し、サービス事業者間にローミング契約が存在する場合、他の事業者のＢＣＡＳＴサーバ内の要求リスト確認アプリケーション間で相互連動することにより、各ＢＣＡＳＴサーバにより提供されるＢＣＡＳＴサービスのうちユーザが要求するサービスが提供できる。「端末の要求リスト」と「ユーザの要求リスト」は同一であり、以下、同じ意味で使用される。
【００３２】
前記ＢＣＡＳＴサーバ１７は、前記端末３０の要求リストを周期的に確認して前記ＢＣＡＳＴサーバ１７に保存されたサーバＢＣＡＳＴリストの一部として、又はＢＣＡＳＴサーバ外部の別途の保存手段内に保存できる。前記ＢＣＡＳＴサーバ１７は、サーバの内部（又は、別途の保存手段内）に各ユーザの要求に応じて他のサービス事業者により提供されたサービスに関する情報を保存できる。従って、ユーザがＢＣＡＳＴサービスを要求する場合、前記ＢＣＡＳＴサーバ１７は、サーバ自身の保存手段を検索して前記ＢＣＡＳＴサービスの現在ユーザのヒストリを取得する。また、この情報は、前記ＢＣＡＳＴサーバ又は他のサーバが前記要求されたＢＣＡＳＴサービスを現在のユーザに容易かつ迅速に提供するために使用される。また、前記ユーザがユーザ自身の要求リストを前記ＢＣＡＳＴサーバに提供しない場合も、前記ＢＣＡＳＴサーバは、該当情報を保存するために前記ユーザにＢＣＡＳＴサービスを提供できる。
【００３３】
図２は、本発明の実施形態により、端末がローミングしながらＢＣＡＳＴサービスを受信する３つの異なる例を示す。
【００３４】
図２に示すように、端末のユーザは、同一のブロードキャストネットワーク（例えば、ＭＢＭＳとＭＢＭＳ）間をローミングすることも、異なるブロードキャストネットワーク（例えば、ＭＢＭＳとＤＶＢ−Ｈ）間をローミングすることもでき、ブロードキャストネットワークとブロードキャストをサポートしないネットワーク間をローミングすることもできる。この３つの例において、前記ブロードキャストネットワークは、ＭＢＭＳとＤＶＢ−Ｈに限定されるのではなく、ＢＣＭＣＳ、ＩＳＤＢ−Ｔ、Ｔ／Ｓ−ＤＭＢなどがあり、前記ブロードキャストをサポートしないネットワークは、ＢＣＡＳＴサービスを直接提供しないか、又はブロードキャストメカニズムをサポートしないＧＳＭ又はＣＤＭＡなどである。
【００３５】
本発明の実施形態において、前記端末（ユーザ）がホームネットワークの１つ以上のＢＣＡＳＴサービスに加入し、同一タイプのブロードキャストネットワーク又は異なるタイプのブロードキャストネットワークである他のネットワーク（訪問ネットワーク）にローミングする場合、前記訪問ネットワークは、前記ホームネットワークのＢＣＡＳＴサービスを取得し、前記訪問ネットワークにある前記端末に前記ＢＣＡＳＴサービス（コンテンツ）をブロードキャストすることにより、前記端末に前記ホームネットワークのＢＣＡＳＴサービスを提供するために構成される。また、他の実施形態において、前記訪問ネットワークが前記端末のホームネットワークにより前記端末のサービス認証確認を行うと、前記訪問ネットワークにおいてローミング中の前記端末に前記ＢＣＡＳＴサービスが提供される。また、前記訪問ネットワークがブロードキャストをサポートしないネットワークであるためにブロードキャストメカニズムをサポートしない場合も、前記訪問ネットワークは、ユニキャスト方法を用いて前記ホームネットワークのＢＣＡＳＴサービスを前記訪問ネットワークにおいてローミング中の前記端末に提供する。例えば、前記訪問ネットワークがブロードキャストをサポートしないネットワークであり、一般的な移動通信サービスのみを提供する場合も、前記訪問ネットワークは、ＭＢＭＳサービスやＤＶＢ−Ｈサービスを前記端末に提供できる。
【００３６】
図３は、本発明の一実施形態によるＢＣＡＳＴサービス方法を示す信号フローチャートである。端末３００のユーザは、訪問ネットワーク２００にローミングする前に前記端末３００のホームネットワーク１００により提供された１つ以上のＢＣＡＳＴサービスに加入すると仮定する。前記ホームネットワーク１００は、ＢＳＡ部１１０、ＢＳＭ部１２０、ＢＳＤＡ部１３０、並びにＢＤＳ−ＳＤ部もしくはＢＤＳもしくはＩＮ１４０を含む。前記訪問ネットワーク２００は、ＢＳＡ部２１０、ＢＳＭ部２２０、ＢＳＤＡ部２３０、並びにＢＤＳ−ＳＤ部もしくはＢＤＳもしくはＩＮ２４０を含む。前記端末３００は、図１の前記端末３０と同一の構成を有する。前記システムの構成要素は、図１に関連して言及された。前記ホームネットワーク１００及び前記訪問ネットワーク２００は、同一のブロードキャストネットワークであるか、又は異なるブロードキャストネットワークである。図３の全ての構成要素は、能動的に結合されている。
【００３７】
図３を参照すると、前記ホームネットワーク１００から前記訪問ネットワーク２００にローミングした前記端末３００のユーザが現在位置（ブロードキャストネットワーク内の位置）でＢＣＡＳＴサービスを受信する場合、前記ユーザが前記端末３００のＢＣＡＳＴアプリケーションを動作させると、前記端末３００は、前記訪問ネットワーク２００のＢＳＭ部２２０にＢＣＡＳＴサービスガイド要求メッセージ又はＢＣＡＳＴサービス要求メッセージを送信する（段階Ｓ１１）。この要求メッセージは、前記ユーザ／端末などの識別情報を含む。
【００３８】
前記ＢＳＭ部２２は、内部通信で前記訪問ネットワークのＢＳＤＡ部２３０に前記ＢＣＡＳＴサービスガイド要求メッセージ又は前記ＢＣＡＳＴサービス要求メッセージの受信を通知し（段階Ｓ１３）、前記端末ユーザのサービス認証を確認する（段階Ｓ１５）。例えば、サービス認証要求メッセージは、前記ＢＳＭ部２２０から前記ホームネットワークのＢＳＭ部１２０に伝送される。ここで、前記端末ユーザのＢＣＡＳＴサービス加入情報（例えば、ユーザがどのサービス又はサービスバンドルに加入したかに関する情報）が前記ホームネットワーク１００に存在するため、前記訪問ネットワークのＢＳＭ部２２０は、前記ホームネットワークのＢＳＭ部１２０からユーザの加入情報を要求し（例えば、ユーザ／端末ＩＤなどを送信することにより）、前記サービス認証を行う。前記サービス認証は、現在ユーザ／端末が前記ホームネットワーク１００により提供されたＢＣＡＳＴサービスの加入者であるという確認を含む。又は、前記ホームネットワーク１００は、実際のサービス認証を行い、前記訪問ネットワーク２００は、前記ホームネットワーク１００からのサービス認証結果を単に受信する。ここで、前記ＢＳＭ部１２０から前記ＢＳＭ部２２０に伝送されるサービス認証応答メッセージは、サービス認証確認結果及び／又は前記訪問ネットワーク２００の後続手順に必要な他の情報を含む。
【００３９】
前記端末３００のサービス認証を確認した後、前記訪問ネットワークのＢＳＭ部２２０は、内部通信で、サービス認証が完了し、前記現在ユーザ／端末が認証されたことを前記ＢＳＤＡ部２３０に通知する（段階Ｓ１７）。ここで、前記ＢＳＤＡ部２３０は、前記訪問ネットワーク２００に保存されたサーバＢＣＡＳＴリストに現在ユーザの要求リストが存在するか否かを確認する。前記サーバＢＣＡＳＴリストは、前記訪問ネットワーク２００のＢＣＡＳＴサーバに保存されるものであり、ＢＳＡ部２１０、ＢＳＭ部２２０、もしくはＢＳＤＡ部２３０に存在するか、又は別途の保存手段に保存される。前記サーバＢＣＡＳＴリストは、要求リスト確認アプリケーションにより管理される。前記サーバＢＣＡＳＴリストは、複数の異なるユーザの要求リストを含む。ユーザ／端末の要求リストは、ユーザの選好ＢＣＡＳＴサービスであり、前記ユーザがユーザ自身のホームネットワークにより提供された全てのＢＣＡＳＴサービスリスト、又は前記ユーザがユーザ自身のホームネットワークで加入した全てのＢＣＡＳＴサービスリストから選択できる。また、前記端末の要求リストは、ユーザ情報のような他の情報も含むことにより、サービスガイドの生成に利用される。
【００４０】
現在ユーザの前記要求リストは、前記訪問ネットワーク２００に保存された前記サーバＢＣＡＳＴリストの一部として保存される。例えば、前記訪問ネットワーク２００は、前記ユーザがローミングする前に、前記ホームネットワークとの通信により前記ユーザの要求リストを予め取得できる。これは、多様な方法により実行できる。例えば、前記ユーザが前記ホームネットワーク１００のＢＣＡＳＴサービスに加入し、前記ホームネットワーク１００が提供したＢＣＡＳＴサービスリストに基づいてユーザの要求リストを作成すると、前記ホームネットワーク１００は、前記訪問ネットワーク２００に前記要求リストを伝送するように構成されて前記訪問ネットワーク２００に予め保存できる。前記システムは、また、前記ホームネットワーク１００及び／又は前記端末３００に保存される前記ユーザのアップデートされたいずれの要求リストも前記ホームネットワーク１００又は前記端末３００から前記訪問ネットワーク２００に通信されるように構成することもできる。
【００４１】
図３の例において、現在端末３００の前記要求リストは、前記訪問ネットワークのサーバ上に存在しないと仮定する。しかしながら、現在端末３００の前記要求リストにあるシナリオは、前記訪問ネットワークのサーバ上に存在するが、これは、図４に関連して後述する。
【００４２】
前記端末３００の要求リストが段階Ｓ１７の前記サーバＢＣＡＳＴリストに存在しない場合、前記訪問ネットワークのＢＳＤＡ部２３０は、前記ホームネットワーク１００のＢＳＤＡ部１３０にサービスガイド要求メッセージを送信する（段階Ｓ１９）。その後、前記ホームネットワークのＢＳＤＡ部１３０は、内部通信で前記ホームネットワーク１００のＢＳＭ部１２０とＢＳＡ部１１０から現在端末３００に対するサービスガイドを生成するための多様な情報（例えば、加入情報、ユーザの要求リストなど）を収集する（段階Ｓ２１）。その後、前記ＢＳＤＡ部１３０は、現在端末の前記要求リストに基づいてサービスガイド（ＢＣＡＳＴサービスガイド）を生成する。
【００４３】
前記ホームネットワークのＢＳＤＡ部１３０が生成された前記サービスガイドを前記訪問ネットワークのＢＳＤＡ部２３０に伝送すると（段階Ｓ２３）、前記訪問ネットワークのＢＳＤＡ部２３０は、前記端末３００に前記サービスガイドを伝送する（段階Ｓ２５）。ここで、前記訪問ネットワークのＢＳＤＡ部２３０は、前記ホームネットワークのＢＳＤＡ部１３０から受信した前記サービスガイドを前記端末３００に伝送するか、又は前記訪問ネットワーク２００のサービスガイドを前記ホームネットワークのＢＳＤＡ部１３０から受信した前記サービスガイドに併合することで取得された新しいサービスガイドを前記端末３００に伝送できる。すなわち、前記ホームネットワークのＢＳＤＡ部１３０から前記訪問ネットワークのＢＳＤＡ部２３０に伝送された前記サービスガイドと、前記訪問ネットワークのＢＳＤＡ部２３０から前記端末３００に伝送された前記サービスガイドは、同一であるか、又は異なるサービスガイドである。段階Ｓ３１で、前記訪問ネットワーク２００は、ブロードキャスト分配システム（例えば、図１のＢＤＳ２０）や相互作用ネットワーク（例えば、図１のＩＴ２２）などの訪問ネットワーク自身のブロードキャストメカニズムを利用して前記サービスガイドを前記端末３００にブロードキャストする。
【００４４】
前記ユーザが前記端末３００により受信された前記ＢＣＡＳＴサービスガイドを確認し、前記ＢＣＡＳＴサービスガイド内の多様なプログラムやサービスのうち受信しようとするコンテンツ（ＢＣＡＳＴサービス）を選択すると、前記端末３００は、ＢＣＡＳＴコンテンツ要求メッセージを前記訪問ネットワークのＢＳＤＡ部２３０に伝送する（段階Ｓ２７）。ここで、前記受信しようとするコンテンツは、前記ホームネットワークにおいて提供されるサービスである。従って、前記訪問ネットワークのＢＳＤＡ部２３０は、前記ＢＣＡＳＴコンテンツ要求メッセージを前記ホームネットワークのＢＳＤＡ部１３０に伝送する（段階Ｓ２７）。
【００４５】
前記ＢＣＡＳＴコンテンツ要求メッセージを受信した前記ＢＳＤＡ部１３０は、ユーザが要求したコンテンツをＢＳＡ部１１０との内部通信でコンテンツ提供者５０から受信し（段階Ｓ２９）、前記受信されたコンテンツ（ＢＣＡＳＴサービス）を前記訪問ネットワークのＢＳＤＡ部２３０を介して前記端末３００に伝送する（段階Ｓ３１）。前記訪問ネットワーク２００は、訪問ネットワーク自身のブロードキャストメカニズムを用いて前記コンテンツを前記端末３００に伝送する。これにより、前記訪問ネットワークにおいてローミング中の前記ユーザは、ユーザ自身のホームネットワークのＢＣＡＳＴサービスを受信する。
【００４６】
図４は、本発明のさらに他の実施形態によるＢＣＡＳＴサービス方法を示す信号フローチャートであり、ここで、現在端末３００は、訪問ネットワーク２００にローミングする。図３の実施形態で言及されたシステム構成要素は、図４の実施形態にも提供される。図４において、訪問ネットワーク２００のＢＣＡＳＴサーバのサーバＢＣＡＳＴリスト内に現在端末３００の要求リストが存在することが、図３の実施形態と異なる。前記ホームネットワーク１００と前記訪問ネットワーク２００は、同一のブロードキャストネットワークであるか、又は異なるブロードキャストネットワークである。前記端末３００のユーザは、前記訪問ネットワーク２００にローミングする前に前記端末３００のホームネットワーク１００により提供された１つ以上のＢＣＡＳＴサービスに加入していると仮定する。図４の全ての構成要素は、能動的に結合されている。
【００４７】
図４を参照すると、前記訪問ネットワーク１００から前記訪問ネットワーク２００にローミングした前記端末３００のユーザが前記訪問ネットワーク２００内の現在位置でＢＣＡＳＴサービスを受信する場合、前記ユーザは、前記端末３００のＢＣＡＳＴアプリケーションを動作させ、前記訪問ネットワークのＢＳＭ部２２０にＢＣＡＳＴサービスガイド要求メッセージ又はＢＣＡＳＴサービス要求メッセージを送信する（段階Ｓ４１）。
【００４８】
前記ＢＳＭ部２２０は、内部通信で前記訪問ネットワークのＢＳＤＡ部２３０に前記ＢＣＡＳＴサービスガイド要求メッセージ又はＢＣＡＳＴサービス要求メッセージの受信を通知し（段階Ｓ４３）、前記ホームネットワークのＢＳＭ部１２０により前記端末／ユーザのサービス認証を確認する（段階Ｓ４５）。段階Ｓ４１、段階Ｓ４３、及び段階Ｓ４５は、それぞれ図３の段階Ｓ１１、段階Ｓ１３、及び段階Ｓ１５に対応する。
【００４９】
前記端末／ユーザのサービス認証を確認した前記訪問ネットワークのＢＳＭ部２２０は、現在端末３００のサービス認証が完了し、現在ユーザに前記ＢＣＡＳＴサービスを受信する権限が与えられたことを内部通信で前記ＢＳＤＡ部２３０に通知する（段階Ｓ４７）。その後、段階Ｓ４７で、前記訪問ネットワークのＢＳＤＡ部２２０は、前記サーバＢＣＡＳＴリストに前記端末の要求リストが存在するか否かを確認する。ここで、前記サーバＢＣＡＳＴリストは、前記訪問ネットワークのＢＣＡＳＴサーバに存在するものであり、ＢＳＡ部２１０、ＢＳＭ部２２０、又はＢＳＤＡ部２３０内に存在し、要求リスト確認アプリケーションにより管理される。
【００５０】
前記訪問ネットワークのサーバＢＣＡＳＴリストに前記端末の要求リストが存在する場合、前記ＢＳＤＡ部２３０は、サービスガイドを前記端末３００に伝送する（段階Ｓ４９）。ここで、前記訪問ネットワークのＢＳＤＡ部２３０は、前記端末３００の要求リストに基づく前記ホームネットワーク１００のＢＣＡＳＴサービスガイド、又は前記訪問ネットワーク２００のＢＣＡＳＴサービスガイドを前記ホームネットワーク１００のサービスガイドに併合することで取得された新しいサービスガイドを前記端末３００に伝送できる。また、前記訪問ネットワークのＢＳＤＡ部２３０は、前記端末３００の要求リストに基づいて前記端末３００のサービスガイドを生成するための多様な情報（例えば、ＢＣＡＳＴサービス属性など）を前記訪問ネットワークのＢＳＭ部２２０及びＢＳＡ部２１０から収集できる。前記訪問ネットワーク２００は、ブロードキャスト分配システム（例えば、図１のＢＤＳ２０）又は相互作用ネットワーク（例えば、図１のＩＴ２２）などの訪問ネットワーク自身のブロードキャストメカニズムを用いて前記サービスガイドを前記端末３００に伝送する。
【００５１】
前記ユーザが前記端末３００に受信されたサービスガイドを確認し、前記サービスガイド内の多様なプログラムやサービスのうち受信しようとするコンテンツを選択すると、前記端末３００は、前記訪問ネットワークのＢＳＤＡ部２３０を介してＢＣＡＳＴコンテンツ要求メッセージを前記ホームネットワークのＢＳＤＡ部１３に伝送する（段階Ｓ５１）。
【００５２】
前記ＢＣＡＳＴコンテンツ要求メッセージを受信した前記ホームネットワークのＢＳＤＡ部１３０は、前記ＢＳＡ部１１０との内部通信で前記ユーザが要求したコンテンツをコンテンツ提供者５０から受信し（段階Ｓ５３）、前記受信されたコンテンツ（ＢＣＡＳＴサービス）を前記訪問ネットワークのＢＳＤＡ部２３０を介して前記端末３００に伝送する（段階Ｓ５５）。前記訪問ネットワーク２００は、訪問ネットワーク自身のブロードキャストメカニズムを用いて前記ＢＣＡＳＴサービスコンテンツを前記端末３００に伝送する。従って、前記訪問ネットワークにおいてローミング中の前記ユーザは、ユーザ自身のホームネットワークのＢＣＡＳＴサービスを受信する。
【００５３】
図５は、本発明のさらに他の実施形態によるＢＣＡＳＴサービス方法を示す信号フローチャートである。本実施形態は、訪問ネットワーク４００がブロードキャストをサポートしないネットワークであるという点で、図３及び図４の実施形態と異なる。前記訪問ネットワーク４００は、ＢＣＡＳＴサービスを直接的に提供できないが、実施形態によって、端末ユーザが前記訪問ネットワークのユニキャスト方法により前記ＢＣＡＳＴサービスを受信する場合に使用される。前記端末３００のユーザは、前記訪問ネットワーク４００にローミングする前にホームネットワークのＢＣＡＳＴサービスに加入する。図５の全ての構成要素は、能動的に結合されている。
【００５４】
図５に示すように、無線ネットワーク又は移動通信ネットワークとして知られているブロードキャストをサポートしないネットワーク（訪問ネットワーク４００）は、前記ＢＣＡＳＴサービスを提供するためのエンティティでないため、前記ホームネットワーク１００から伝送されたサービスガイド及び／又はコンテンツをそのパケット交換ネットワーク（packet  switched  network）で現在端末３００に伝送する。すなわち、前記訪問ネットワーク４００と前記端末３００間の通信は、前記訪問ネットワーク４００と前記端末３００間の既存の通信プロトコルを用いて発生する。
【００５５】
図５を参照すると、前記端末３００のユーザがブロードキャストネットワークであるユーザ自身のホームネットワーク１００からブロードキャストをサポートしないネットワークである訪問ネットワーク４００にローミングするか、移動する場合、前記ユーザは、ユーザ自身の端末３００のＢＣＡＳＴアプリケーションを動作させ、前記端末３００は、前記ブロードキャストをサポートしない訪問ネットワーク４００にＢＣＡＳＴサービスガイド要求メッセージ又はＢＣＡＳＴサービス要求メッセージを送信する（段階Ｓ６１）。
【００５６】
前記要求メッセージを受信した前記ブロードキャストをサポートしない訪問ネットワーク（例えば、サーバ）４００は、前記ホームネットワーク１００のＢＳＭ部１２０に前記端末ユーザのサービス認証の確認を要求し（段階Ｓ６３）、前記ホームネットワークのＢＳＭ部１２０は、前記端末ユーザのサービス認証を確認してサービス認証結果を含む応答メッセージを前記ブロードキャストをサポートしない訪問ネットワーク４００に伝送する（段階Ｓ６５）。ここで、前記端末ユーザのＢＣＡＳＴサービス加入情報（例えば、前記ユーザがどのサービス又はサービスバンドルに加入したかに関する情報）が前記ホームネットワーク１００に存在するため、前記訪問ネットワーク４００は、前記ユーザの加入情報をホームネットワークのＢＳＭ部１２０に要求（例えば、前記ユーザ／端末ＩＤなどを送信することにより）し、サービス認証を行う。前記サービス認証は、現在ユーザ／端末が前記ホームネットワーク１００により提供されたＢＣＡＳＴサービスの加入者であることの確認を含む。又は、前記ホームネットワーク１００は、実際のサービス認証を行い、前記訪問ネットワーク４００は、前記ホームネットワーク１００からサービス認証の結果を単に受信する。
【００５７】
前記端末３００のサービス認証を確認すると、前記ブロードキャストをサポートしない訪問ネットワーク４００は、前記ホームネットワークのＢＳＤＡ部１３０にサービスガイド要求メッセージを送信する（段階Ｓ６７）。前記サービスガイド要求メッセージを受信すると、前記ホームネットワークのＢＳＤＡ部１３０は、内部通信で前記ホームネットワークのＢＳＭ部１２０及びＢＳＡ部１１０から前記端末３００のサービスガイド情報を収集する（段階Ｓ６９）。ここで、前記訪問ネットワーク４００は、ブロードキャストをサポートしないため、（ブロードキャストメカニズムを用いて）ＢＣＡＳＴサービスを提供するためのエンティティがないので、前記ホームネットワーク又は他のネットワークが提供するＢＣＡＳＴサービスに対する前記端末３００の要求リスト又はサービスガイドを有しない。従って、前記訪問ネットワーク４００は、前記ホームネットワークのＢＳＤＡ部１３０から前記端末３００のサービスガイドを取得しなければならず、前記ホームネットワークのＢＳＤＡ部１３０は、前記ホームネットワークに予め保存されているか、又は前記端末３００により提供された前記端末３００の要求リストに基づいて現在端末３００のサービスガイドを収集する。
【００５８】
前記ホームネットワークのＢＳＤＡ部１３０は、前記収集されたサービスガイド情報を利用して現在端末３００のためのＢＣＡＳＴサービスガイドを生成する。前記ＢＳＤＡ部１３０は、前記生成されたサービスガイドを前記訪問ネットワーク４００に伝送し（段階Ｓ７１）、前記訪問ネットワーク４００は、前記サービスガイドを前記端末３００に伝送する（段階Ｓ７１）。ここで、前記訪問ネットワーク４００により前記端末３００に伝送された前記サービスガイドは、前記ホームネットワーク１００から受信された前記サービスガイドと同一である。
【００５９】
前記ユーザが前記端末３００により受信された前記ＢＣＡＳＴサービスガイドを確認し、前記サービスガイド内の多様なプログラムやサービスのうち受信しようとするコンテンツを選択すると、前記端末３００は、前記訪問ネットワーク４００でＢＣＡＳＴコンテンツ要求メッセージを前記ホームネットワークのＢＳＤＡ部１３０に伝送する（段階Ｓ７３）。
【００６０】
前記ＢＣＡＳＴコンテンツ要求メッセージを受信すると、前記ホームネットワークのＢＳＤＡ部１３０は、ＢＳＡ部１１０との内部通信で前記ユーザが要求したコンテンツをコンテンツ提供者５０から受信し（段階Ｓ７５）、該当コンテンツを前記ブロードキャストをサポートしない訪問ネットワーク４００で前記端末３００に伝送する（段階Ｓ７７）。ここで、前記ホームネットワークのＢＳＤＡ部１３０からコンテンツ（ＢＣＡＳＴサービス）を受信した前記訪問ネットワーク４００は、ブロードキャストをサポートしないネットワークであるため、訪問ネットワーク自身のパケット交換ネットワーク／方法により前記コンテンツを前記端末３００に伝送する。すなわち、前記コンテンツ（ＢＣＡＳＴサービス）は、前記ブロードキャストをサポートしない訪問ネットワーク４００と前記端末３００間のみにユニキャスト方法により１対１で伝送されるが、例えば、ＢＤＳ又は相互作用ネットワークでなく、移動通信ネットワーク内で提供されるデータサービスチャネルで伝送される。
【００６１】
図５の実施形態において、ＢＣＡＳＴサービス（ブロードキャストネットワーク）を提供するネットワークにおいてサポートされるオーディオ／ビデオコーデックと、訪問移動通信ネットワーク（ブロードキャストをサポートしないネットワーク）においてサポートされるオーディオ／ビデオコーデックとが一致しない場合、前記コーデックを一致させるために所定の変形過程が必要である。例えば、ＢＣＡＳＴサービスコンテンツを提供するブロードキャストネットワークがＭＰＥＧ４をサポートし、前記ＢＣＡＳＴサービスコンテンツを受信する移動通信ネットワーク（ブロードキャストをサポートしない訪問ネットワーク）が前記ＭＰＥＧ４をサポートせずにＭＰＥＧ２をサポートする場合、前記移動通信ネットワークは、前記ブロードキャストネットワークから受信したコンテンツを復号化してＭＰＥＧ２に符号化した後、ユーザ端末に伝送するように構成される。ここで、前記ブロードキャストネットワークにおいてサポートされるコンテンツ符号化方法と前記移動通信ネットワーク（ブロードキャストをサポートしないネットワーク）においてサポートされるコンテンツ符号化方法を交換する手順は、前記コンテンツが提供される前に追加でき、このような手順は周知である。また、前記ホームネットワークが前記ユーザ端末の性能（例えば、サポートされるコーデック、データ伝送速度、端末画面の解像度）を知っている場合、該当情報（例えば、端末の性能情報）を前記訪問ネットワークに伝送することにより、前記訪問ネットワークは、前記情報を前記ホームネットワークから受信したコンテンツを前記ユーザ端末に伝送する前に適切に変形するために利用できる。
【００６２】
図３〜図５の実施形態において、現在ユーザの要求リストは、サービスガイドを生成して前記訪問ネットワークにおいてローミングする端末に提供するために使用されると説明した。しかしながら、本発明は、それに限定されるものではなく、前記端末の現在ユーザに提供される前記サービスガイドの生成に使用されない現在ユーザの要求リストがある状況も含む。例えば、ユーザの要求リストに関係なく、前記端末３００のエンドユーザに提供される前記サービスガイドは、前記ユーザの加入ポリシーに基づいて生成されるか、又は前記ホームネットワーク又は訪問ネットワークにより提供される全てのＢＣＡＳＴサービスを含む。
【００６３】
図６は、本発明のさらに他の実施形態によるＢＣＡＳＴサービス方法の信号フローチャートである。本実施形態において、ＢＣＡＳＴサービスガイドは、端末が要求する前に訪問ネットワーク２００から前記端末３００に伝送される。すなわち、ブロードキャストネットワークの前記訪問ネットワークが訪問ネットワーク自身のブロードキャストメカニズム（例えば、ＢＤＳ又は相互作用ネットワーク）を利用して訪問ネットワーク自身のサービスガイドを前記訪問ネットワークの内部にローミングした全ての端末に繰り返しブロードキャストする。各端末は、前記サービスガイド上の１つ以上のＢＣＡＳＴサービスにアクセスを要求（使用権利を要求）することにより、前記ＢＣＡＳＴサービスにアクセスできる。
【００６４】
図６において、現在端末３００のユーザは、ユーザ自身が前記訪問ネットワーク２００にローミングする前に前記端末３００のホームネットワーク１００により提供された１つ以上の（ＢＣＡＳＴ）サービスに加入すると仮定する。前記ホームネットワーク１００は、ＢＳＡ部１１０、ＢＳＭ部１２０、ＢＳＤＡ部１３０、並びにＢＤＳ−ＳＤもしくはＢＤＳもしくはＩＮ１４０を含む。前記訪問ネットワーク２００は、ＢＳＡ部２１０、ＢＳＭ部２２０、ＢＳＤＡ部２３０、並びにＢＤＳ−ＳＤもしくはＢＤＳもしくはＩＮ２４０を含む。このような構成要素は、図１に関連して言及された。前記ホームネットワーク１００及び前記訪問ネットワーク２００は、同一のブロードキャストネットワークであるか、又は異なるブロードキャストネットワークである。図６の全ての構成要素は、能動的に結合されている。
【００６５】
図６を参照すると、前記訪問ネットワーク２００にローミングした前記端末３００がホームネットワーク１００と接続せずに前記訪問ネットワークのＢＳＤＡ部２３０からＢＣＡＳＴサービスガイドを受信する（段階Ｓ８１）。すなわち、前記訪問ネットワーク２００は、訪問ネットワーク自身にローミングした端末３００にユーザの要求及び前記ホームネットワーク１００との契約なしに、訪問ネットワーク自身のサービスガイドを提供する。これは、ブロードキャストメカニズムを利用して、前記訪問ネットワーク２００内部にローミングした全ての端末に前記訪問ネットワーク２００が訪問ネットワーク自身のサービスを繰り返しブロードキャストすることにより行われる。
【００６６】
前記サービスガイドを確認すると、前記ユーザは、前記訪問ネットワークのＢＳＭ部２２０からのサービスガイドで識別された特定ＢＣＡＳＴサービスにアクセスするために、使用権利（use  privilege）（アクセス情報、例えば、ＲＯ（right  objectｓ）を要求する（段階Ｓ８３）。前記使用権利とは、前記ユーザが要求したコンテンツに対する権利、又は前記ＢＣＡＳＴサービスにアクセスするか、使用するための権利である。前記訪問ネットワークのＢＳＭ部２２０は、この要求を受信し、また前記ホームネットワークのＢＳＭ部１２０から該当端末３００のサービス認証を確認する。すなわち、前記訪問ネットワークのＢＳＭ部２２０は、サービス認証要求メッセージを前記ホームネットワークのＢＳＭ部１２０に伝送し（段階Ｓ８５）、前記ホームネットワークのＢＳＭ部１２０は、前記端末のサービス認証を確認してサービス認証応答メッセージを前記訪問ネットワークのＢＳＭ部２２０に伝送する（段階Ｓ８７）。前記サービス認証応答メッセージは、サービス認証の結果を含む。前記サービス認証は、現在端末３００が前記ホームネットワーク１００の加入者であるか否かの決定と前記端末ユーザの加入ポリシーの詳細検査を含むことにより、前記ユーザが段階Ｓ８１で要求した特定ＢＣＡＳＴサービスを受信しなければならないか否かを決定する。実際のサービス認証は、前記ホームネットワーク１００、前記訪問ネットワーク、又は前記ホームネットワークの一部及び前記訪問ネットワークの一部により実行できる。
【００６７】
サービス認証の結果が、前記端末３００に前記ＢＣＡＳＴサービスを受信する権限が与えられたことを示す場合、前記訪問ネットワークのＢＳＭ部２２０は、アクセス及び／又はユーザが要求した特定ＢＣＡＳＴサービスを許可する使用権利（ＲＯのようなアクセス情報）を前記ユーザに伝送する（段階Ｓ８９）。前記ＲＯは、前記ＢＣＡＳＴサービス（コンテンツ）を開放するか、又は解読するためのキーもしくはコードである。前記訪問ネットワークのＢＳＤＡ部２３０は、そのブロードキャストメカニズムによりユーザ要求コンテンツ（user-requested  contents）（ＢＣＡＳＴサービス）を前記端末３００に伝送する（段階Ｓ９１）。ここで、前記ＢＳＤＡ部２３０及び前記ＢＳＭ部２２０は、内部通信で情報と信号を伝送又は交換する。
【００６８】
前記コンテンツを受信すると、前記端末３００は、前記ＲＯを利用して前記受信されたコンテンツにアクセスするか、又は解読（interpret）する。前記訪問ネットワークのＢＳＭ部２２０が該当コンテンツの使用によって課金（請求）情報（例えば、コンテンツの使用に関する課金）を生成し（段階Ｓ９３）、前記訪問ネットワーク２００が前記生成された課金情報を前記ホームネットワーク１００に伝送すると、前記ホームネットワークにより前記ユーザには適切な料金が請求される。前記ユーザが前記ホームネットワーク１００と加入契約を締結しているため、前記訪問ネットワーク２００は、訪問ネットワーク自身が提供したサービスに関する課金情報を前記ホームネットワーク１００に伝送する。前記課金情報にはローミング中のユーザがＢＣＡＳＴサービスを受信できるようにする前記訪問ネットワーク２００の他のサービス料金も含まれる。
【００６９】
本発明により、段階Ｓ９３での前記課金情報が生成される段階は、例えば、図３〜図５の実施形態のような他の実施形態でも実行できる。例えば、前記訪問ネットワークが前記ホームネットワークにより提供されるＢＣＡＳＴサービスコンテンツを単に通過すると、前記課金情報は、前記ＢＣＡＳＴサービスコンテンツを通過した場合の前記訪問ネットワーク２００のサービス料金を含む。
【００７０】
前述した実施形態と利点は本発明を制限するものでなく、単なる例示にすぎない。本発明は、他の形態の装置にも容易に適用できる。本発明の説明は特許請求の範囲を制限するものでなく、単なる説明の便宜のためのものである。当該技術分野における通常の知識を有する者であれば多様な変更、変形、及び均等な他の実施例が可能であることを理解できるであろう。請求項において、ミーンズプラスファンクションクレームは列挙された機能を実行するものであり、ここに記載された構造、構造的同等物だけでなく均等な構造をも含む。
【図面の簡単な説明】
【００７１】
構成要素を示す参照番号を有する以下の図面を参照して本発明を詳細に説明する。
【図１】本発明の一実施形態によるＢＣＡＳＴサービスシステムの構成を示すブロック図である。
【図２】本発明の一実施形態により端末がホームネットワークから訪問ネットワークにローミングし、前記訪問ネットワークにおいてＢＣＡＳＴサービスを受信する３つの例を示す図である。
【図３】本発明の第１実施形態により、端末がホームネットワークから訪問ネットワークにローミングする場合、ＢＣＡＳＴサービス方法を示す信号フローチャートである。
【図４】本発明の第２実施形態により、端末がホームネットワークから訪問ネットワークにローミングする場合、ＢＣＡＳＴサービス方法を示す信号フローチャートである。
【図５】本発明の第３実施形態により、端末がホームネットワークから訪問ネットワークにローミングする場合、ＢＣＡＳＴサービス方法を示す信号フローチャートである。
【図６】本発明の第４実施形態により、端末がホームネットワークから訪問ネットワークにローミングする場合、ＢＣＡＳＴサービス方法を示す信号フローチャートである。
【図１】
2008508831.tif 000003
【図２】
2008508831.tif 000004
【図３】
2008508831.tif 000005
【図４】
2008508831.tif 000006
【図５】
2008508831.tif 000007
【図６】
2008508831.tif 000008
【国際調査報告】
2008508831.tif 000009
2008508831.tif 000010